(57)【要約】【課題】  照明器具収納部の見付け寸法が小さくても照明器具収納部の空間を広く取って熱の影響を少なくすることができると共にランプの交換がしやすくなり、しかも収納キャビネット内の物品の収納部の容積を広くできる。【解決手段】  収納キャビネット１の側部に外側の側板３と内側の側板４とで挟まれた照明器具収納部５を設ける。収納キャビネット１に隣接するように収納キャビネット２を配設する。照明器具収納部５の外側の側板３の前面側への突出高さを内側の側板４に対して低く形成すると共に照明器具収納部５内に照明器具６を設置する。側板４と側板７との間の前面側を覆うように照明カバー８を配置すると共に側板４と側板７とに照明カバー８の両側を固定する。【選択図】        図１
2005118213.tif 000002
【特許請求の範囲】
【請求項１】
第１の収納キャビネットの少なくと片側の側部に外側の側板と内側の側板とで挟まれた照明器具収納部を設け、この第１の収納キャビネットの少なくとも照明器具収納部側に隣接するように第２の収納キャビネットを配設し、照明器具収納部の外側の側板の前面側への突出高さを内側の側板に対して低く形成すると共に照明器具収納部内に照明器具を設置し、照明器具収納部の内側の側板と第２の収納キャビネットの側板との間の前面側を覆うように照明カバーを配置すると共に照明器具収納部の内側の側板と第２の収納キャビネットの側板とに照明カバーの両側を固定したことを特徴とする照明付き収納体。
【請求項２】
照明器具収納部の内側の側板と第２の収納キャビネットの側板に板バネからなる弾性止め具を装着し、照明カバーの両側を弾性止め具に係止して成ることを特徴とする請求項１記載の照明付き収納体。
【発明の詳細な説明】
【技術分野】
【０００１】
本発明は、照明器具を組み込んだ収納体の構造に関するものである。
【背景技術】
【０００２】
照明付き収納体として、従来から洗面化粧台等におけるミラーキャビネットが知られており、内部を収納部とした収納キャビネットの側部に外側の側板と内側の側板とで挟まれた照明器具収納部を設け、この照明器具収納部内に照明器具を設置し、照明器具収納部の前面開口を覆うように照明カバーを配置すると共に照明器具収納部の外側の側板と内側の側板とに照明カバーの両側を係止して照明カバーを取り付けている（例えば、特許文献１参照）。
【特許文献１】特開２０００−１８４９７４号公報
【発明の開示】
【発明が解決しようとする課題】
【０００３】
ところが、収納キャビネットの側部に外側の側板と内側の側板とで挟まれた照明器具収納部を設けた場合、照明器具収納部内に設置した照明器具の熱の影響を低くしたり、照明器具のランプの交換のための作業スペースを確保する目的で、外側の側板と内側の側板との間の間隔を広くして照明器具収納部を広げていたため、収納キャビネット内の照明器具収納部以外の物品を収納する収納部の容積がその分狭くなるという問題があり、また照明器具収納部の空間を広くするために照明カバーの構造が複雑になって照明カバーの見映えが悪くなると共にランプ取り替えのための照明カバーの取り付けや取り外しが困難になるという問題がある。
【０００４】
本発明は上記の従来の問題点に鑑みて発明したものであって、照明器具収納部の見付け寸法が小さくても照明器具収納部の空間を広く取って熱の影響を少なくすることができると共にランプの交換がしやすくなり、しかも収納キャビネット内の物品の収納部の容積を広くできる照明付き収納体を提供することを課題とするものである。
【課題を解決するための手段】
【０００５】
上記課題を解決するために本発明に係る照明付き収納体は、第１の収納キャビネット１の少なくと片側の側部に外側の側板３と内側の側板４とで挟まれた照明器具収納部５を設け、この第１の収納キャビネット１の少なくとも照明器具収納部５側に隣接するように第２の収納キャビネット２を配設し、照明器具収納部５の外側の側板３の前面側への突出高さを内側の側板４に対して低く形成すると共に照明器具収納部５内に照明器具６を設置し、照明器具収納部５の内側の側板４と第２の収納キャビネット２の側板７との間の前面側を覆うように照明カバー８を配置すると共に照明器具収納部５の内側の側板４と第２の収納キャビネット２の側板７とに照明カバー８の両側を固定したことを特徴とする。
【０００６】
上記のように照明器具収納部５の外側の側板３の前面側への突出高さを内側の側板４に対して低く形成したことにより照明器具収納部５の見付け寸法が小さくても照明器具収納部５の空間を広く取ることができ、また照明器具収納部５の内側の側板４と第２の収納キャビネット２の側板７との間の前面側を覆うように照明カバー８を配置すると共に照明器具収納部５の内側の側板４と第２の収納キャビネット２の側板７とに照明カバー８の両側を固定したことにより外側の側板３の突出高さを低くしても照明カバー８の両側を固定できる。従って、照明器具収納部５の見付け寸法が小さいが、空間が広く取れるため、収納キャビネット１，２や照明カバー８に対する照明器具６の熱の影響を少なくすることができる。また照明器具収納部５の見付け寸法が小さいが、空間が広く取れるため、ランプ９の交換がしやすい。また照明器具収納部５の見付け寸法を小さくできるため、収納キャビネット１内の物品の収納部を広く確保できる。また照明器具収納部５の見付け寸法が小さいが、空間が広く取れるため、照明カバー８の形状も単純にできて見映えもよくできる。
【０００７】
また照明器具収納部５の内側の側板４と第２の収納キャビネット２の側板７に板バネからなる弾性止め具１０を装着し、照明カバー８の両側を弾性止め具１０に係止して成ることを特徴とすることも好ましい。この場合、照明カバー８に係止部を設けたりしなくても簡単な構造で照明カバー８を着脱自在に取り付けることができる。
【発明の効果】
【０００８】
本発明は叙述のように、照明器具収納部の見付け寸法が小さいが、空間が広く取れるため、収納キャビネットや照明カバーに対する照明器具の熱の影響を少なくすることができ、ランプの交換を容易でき、照明器具収納部以外の物品の収納部を広く確保でき、さらに照明カバーの形状も単純にできて見映えもよくできるという効果がある。
【発明を実施するための最良の形態】
【０００９】
以下、本発明を添付図面に示す実施形態に基いて説明する。
【００１０】
主の収納部となる第１の収納キャビネット１とサイドの収納部となる第２の収納キャビネット２とが隣接して設置されるようになっている。第１の収納キャビネット１は図１、図２に示すように矩形状の背板１１と上板１２と下板２８と両側の側板３，１３とで前面を開口せる箱状に形成されている。収納キャビネット１の一方の側板３の内側には所定の間隔を隔てて側板４を側板３と平行に上下に亙るように装着してあり、外側の側板３と内側の側板４との間に照明器具収納部５を形成してある。側板４と側板１３との間には上下に間隔を隔てて棚板１４を架設してあり、側板４と側板１３との間は物品を物品収納部となっている。この物品収納部の前面の開口にはこの前面の開口を覆う大きさの扉１５を配置してあり、扉１５の一側をヒンジ１６にて側板１３に回転自在に連結してあり、ヒンジ１６を中心に扉１５を回動することにより扉１５が開閉自在になっている。
【００１１】
照明器具収納部５の内側の側板４は収納キャビネット１の深さと同じ突出高さと同じだけ前方に突出しているが、外側の側板３の前方への突出高さが低くなり、側面の前部が開放された状態となっている。照明器具６は照明器具本体１６と照明器具本体１６に装着したランプ９とで構成されており、照明器具６を照明器具収納部５内に配置して照明器具本体１６が背板１１にビス等のねじ具にて取り付けられている。
【００１２】
第２の収納キャビネット２は矩形状の背板１７と上板１８と下板１９と側板７，２０とで前面を開口せる箱状に形成されている。側板７と側板２０との間には上下に間隔を隔てて複数の棚板２２が架設されており、物品を収納する物品収納部となっている。収納キャビネット２の前面の開口にはこの前面の開口を覆う大きさの扉２３を配置してあり、扉２３の一側をヒンジ２５にて側板７に回転自在に連結してあり、ヒンジ２５を中心に扉２３を回動することにより扉２３が開閉自在になっている。
【００１３】
第１の収納キャビネット１の照明器具収納部５側に第２の収納キャビネット２が隣接するように配置され、第１の収納キャビネット１の背板１１と第２の収納キャビネット２の背板１７が建物の壁面２６に沿わせられ、背板１１や背板１７からビスのようなねじ具が壁面２６に打入されて第１の収納キャビネット１や第２の収納キャビネット２が壁面２６に取り付けられる。第１の収納キャビネット１と第２の収納キャビネット２を隣接させて壁面２６に取り付けた状態で図３に示すように第１の収納キャビネット１の側板３と第２の収納キャビネット２の側板７とが重ね合わせられる。
【００１４】
弾性止め具１０は板バネ材にて形成されており、第１の収納キャビネット１の側板４と第２の収納キャビネット２の側板７に沿わせて弾性止め具１０が配置され、この弾性止め具１０がビス等のねじ具２７にて側板４，７に取り付けてある。照明カバー８は前面片８ａと両側の側片８ｂとで上下全長に亙って断面コ字状に形成されており、照明カバー８は左右対称になっていると共に上下対称になっている。この照明カバー８は半透明材料のような透光性のある材料にて形成されている。この照明カバー８は側板４と側板７との間の開口を上下全長に亙って覆うように配置され、照明カバー８の側片８ｂが弾性止め具１０と側板４，７との間に差し込まれ、弾性止め具１０の弾圧部１０ａにて側片８ｂが弾圧される。このように照明カバー８を取り付けることにより照明カバー８の前面片８ａの前面と扉１５，２３の前面とが面一になるように取り付けられる。
【００１５】
上記のように照明付き収納体が形成されるが、照明器具収納部５の外側の側板３の前面側への突出高さを内側の側板４に対して低く形成したことにより照明器具収納部５の見付け寸法が小さくても照明器具収納部５の空間を広く取ることができ、また照明器具収納部５の内側の側板４と第２の収納キャビネット２の側板７との間の前面側を覆うように照明カバー８を配置すると共に照明器具収納部５の内側の側板４と第２の収納キャビネット２の側板７とに照明カバー８の両側を固定したことにより外側の側板３の突出高さを低くしても照明カバー８の両側を固定できる。これにより照明器具収納部５の見付け寸法が小さくても照明器具収納部５の空間を広くすることができ、収納キャビネット１，２や照明カバー８に対する照明器具６の熱の影響を少なくすることができ、またランプ９の交換がしやすいようにでき、さらに物品収納部を広く確保できる。照明カバー８は上記のように単純な構造にすると共に左右及び上下を対称にできるために照明カバー８が作りやすく、また照明カバー８の取り付け間違いを減らすことができる。
【００１６】
なお、上記の例では板ばねよりなる弾性止め具１０にて止めているが、この弾性止め具１０を用いる代わりに、側板４，７に貫通孔を開口してねじ具で固定してもよい。
【００１７】
また上記のように構成せる照明付き収納体をミラーキャビネットとする場合、扉１５，２３の前面に鏡を取り付ければよい。また上記例では第１の収納キャビネット１の片側に隣接させるように第２の収納キャビネット２を取り付けたが、第１の収納キャビネット１の両側に第２の収納キャビネット２を取り付けてもよい。
【図面の簡単な説明】
【００１８】
【図１】本発明の実施の形態の一例の分解した状態の平面から見た断面図である。
【図２】同上の正面図である。
【図３】同上の壁面に取り付け状態の平面から見た断面図である。
【符号の説明】
【００１９】
１  第１の収納キャビネット
２  第２の収納キャビネット
３  外側の側板
４  内側の側板
５  聡明器具収納部
６  照明器具
７  側板
８  照明カバー
９  ランプ
１０  弾性止め具
【図１】
2005118213.tif 000003
【図２】
2005118213.tif 000004
【図３】
2005118213.tif 000005